(57)【要約】    【課題】  雨水浸入による点火不良や途中失火をする虞がなく、排気の風切り音などの不快な異音の発生や燃焼不良を起こすことのない壁貫通設置型燃焼機の排気室を提供する。    【解決手段】  熱交換器４の上部に設けられる排気室ケース６の内側部分に、一端を排気室ケース６の排気口内側下部に固定し、他端は排気室ケース６内の熱交換器４の上部フランジ４ａの上に重ねて排気口８側に向けて下り傾斜とした雨よけ部材１１を設けた壁貫通設置型燃焼機１の排気室。    【選択図】  図１
2005265285.tif 000002
【特許請求の範囲】
【請求項１】
熱交換器の上部に設けられる排気室ケースの内側部分に、一端を排気室ケースの排気口内側下部に固定し、他端を排気室ケース内の上記熱交換器の上部フランジに重ねて排気口側に向けて下り傾斜とした雨よけ部材を設けてなる壁貫通設置型燃焼機の排気室。
【請求項２】
排気室ケースの排気口に設けられる筒状の排気トップの下部を、熱交換器の上部フランジ上の排気室ケースの下部フランジよりも下方に位置させてなる請求項１記載の壁貫通設置型燃焼機の排気室。
【請求項３】
雨よけ部材の他端を、熱交換器の上部フランジの上に重ねて固定してなる請求項１又は請求項２記載の壁貫通設置型燃焼機の排気室。
【発明の詳細な説明】
【技術分野】
【０００１】
本発明は、壁貫通設置型燃焼機の排気室、より詳しくは排気室の雨よけに関する。
【背景技術】
【０００２】
主として集合住宅等の屋内と屋外との間の壁に設けた貫通穴内に設置される壁貫通設置型燃焼機は、図４の壁貫通設置型燃焼機１の概略構成図に示すようにガスを燃料として火炎２を作り、その熱エネルギーで温熱水を作る装置で、燃焼部３の上に熱交換器４が設けられ、その上に排気室５が設けられる構造である。
上記排気室５の部分の詳細な構造は、図２に示す排気室部分の斜視図及び図２中のＢ−Ｂ断面図である図３に示すように、排気室５は、排気室ケース６により上面と両側面及び背面を閉じた箱状に形成されており、正面には、排気ガス９を機外に排出するための排気トップ７が備えられる。
また、排気室５の下部には、排気室ケース６下部に熱交換器４上部とのシール面としての下部フランジ部６ａを備え、排気室ケース６の排気口８側には、排気室ケース６と連通する排気トップ７が設けられ、この排気トップ７により排気ガス９を屋外１０へと排出する。
【０００３】
従来、図３に示すように、排気ガス９の誘導と排気口８からの雨水１２の浸入を防止するために、排気室ケース６の内側部分に、一端を排気室ケース６の排気口８内側下部に固定し、他端が排気室ケース６内の熱交換器４上部の排気室ケース６の下部フランジ６ａよりも上方に位置するように固定され、排気口８側に向けて下り傾斜となるようにした雨よけ板２１を備えるようにしたものが知られている。（特許文献１参照）。
【特許文献１】特開平１０−３０００６５号公報
【発明の開示】
【発明が解決しようとする課題】
【０００４】
しかし、従来の技術では、雨よけ板２１に接触する雨水１２は雨よけ板２１に当って、その跳ね返り雨水や水しぶきにより熱交換器４側に雨水１２が浸入することがあり、燃焼部３（図４参照）での点火不良や途中失火を起こす心配があり、さらには、雨よけ板２１の排気室５側が排気室５内に突出しており、この突出部分が熱交換器４から排気口８まで排気する排気ガス９の排気流れの抵抗となって、燃焼悪化や排気の風切り音などの排気騒音悪化の要因になるという問題を有していた。
【０００５】
本発明は、雨水浸入による点火不良や途中失火をする虞がなく、特に、排気の風切り音などの不快な異音の発生や燃焼不良を起こすことのない壁貫通設置型燃焼機の排気室を提供しようとするものである。
【課題を解決するための手段】
【０００６】
本発明は、次ぎのものに関する。
（１）熱交換器の上部に設けられる排気室ケースの内側部分に、一端を排気室ケースの排気口内側下部に固定し、他端を排気室ケース内の上記熱交換器の上部フランジに重ねて排気口側に向けて下り傾斜とした雨よけ部材を設けてなる壁貫通設置型燃焼機の排気室。
（２）排気室ケースの排気口に設けられる筒状の排気トップの下部を、熱交換器の上部フランジ上の排気室ケースの下部フランジよりも下方に位置させてなる上記（１）記載の壁貫通設置型燃焼機の排気室。
（３）雨よけ部材の他端を、熱交換器の上部フランジの上に重ねて固定してなる請求項１又は請求項２記載の壁貫通設置型燃焼機の排気室。
（作用）
【０００７】
壁貫通設置型燃焼機の排気室は、雨よけ部材の一端を排気室ケースの排気口内側下部に固定し、雨よけ部材の排気室ケース内側の他端は、排気室ケース内の熱交換器の上部フランジに重ねて排気口側に向けて下り傾斜となるようにしており、排気室内に雨よけ部材の他端側が突出せず、排気ガスの排気流れを阻害しない。
【発明の効果】
【０００８】
本発明の壁貫通設置型燃焼機の排気室によれば、雨よけ部材に当った跳ね返り雨水や水しぶきが熱交換器４側に浸入することが少なく、また、雨よけ部材の排気ガスの排気流れの抵抗がなく、排気の風切り音などの不快な異音や燃焼悪化の発生を防止できる。
【発明を実施するための最良の形態】
【０００９】
本発明の壁貫通設置型燃焼機の排気室における雨よけ部材の排気室側が排気室内に突出しないようにする具体的構造としては、排気室ケースの排気口に設けられる排気トップの下部が、熱交換器の上部フランジ上の排気室ケースの下部フランジよりも下方に位置する構造とし、熱交換器の排気室内側の上部フランジの上又は下に、雨よけ部材の排気室ケース内側の他端を重ねて固定することで達成できる。
【実施例】
【００１０】
以下、本発明による壁貫通設置型燃焼機の排気室の実施例について、図１（ａ）及び図１（ｂ）を参照して説明する。
図１（ａ）は本発明の実施例による壁貫通設置型燃焼機の排気室部分の斜視図、図１（ｂ）は図１（ａ）中のＡ−Ａ縦断面図である。
【００１１】
図１（ａ）及び図１（ｂ）において、排気室５を構成する立方体の形状をした排気室ケース６は、下面が開放で、図中の左側面には機外に排気を排出するための排気口８を備えており、排気口８は、適度な開口を持っており、本体の外装の排気出口と相似形をしている。その他の正面、右側面、上面、及び背面は閉塞された箱状となっている。
【００１２】
排気口８に設けられる排気トップ７について説明すると、金属板からなる排気トップ７は筒状に形成されており、排気室ケース６の一面の開口部と排気トップ７の筒状の一端を連通して具備される。排気トップ７の筒状の縦断面方向の中心の高さ位置は、排気室ケース６の下部フランジ６ａの高さ以下の位置とする。
すなわち、次式で表記するＨ１≦Ｈ２となるようにする。
具体的には、Ｈ１＝５〜１５ｍｍの時、Ｈ２＝１０〜３０ｍｍ、更に好ましくは、Ｈ１＝１０ｍｍの時、Ｈ２＝２０ｍｍとするのが好ましい。
【００１３】
次に、雨よけ部材１１の取付け形状について説明すると、雨よけ部材１１は、金属の板状の長方形の形状をしており、四辺の一端を排気トップ７と密閉固定し、その反対側の端部の一辺は、熱交換器４の上部フランジ４ａの上に重ねられて密閉固定される。前記二辺の他の二辺（前記二辺の鉛直方向の二辺）は、排気室ケース６と密閉固定される。
雨よけ部材１１の設置は、前記で述べた寸法関係から、排気トップ７の下端部は、排気室ケース６の下部フランジ６ａよりも下側に位置することになり、熱交換器４の上部フランジ部４ａから、排気口８側に向けて下り傾斜として具備される。
このとき、雨よけ部材１１の図１（ｂ）中に示す設置角度θの式は、５°≦θ≦６０°で具備する。
設置角度θとしては、好ましくは３５°≦θ≦５０°、更に好ましくは４０°≦θ≦４５°とするのが好ましい。
【図面の簡単な説明】
【００１４】
【図１】（ａ）は本発明による壁貫通設置型燃焼機の排気室部分の斜視図、（ｂ）は（ａ）中のＡ−Ａ断面図である。
【図２】従来の壁貫通設置型燃焼機の排気室部分の斜視図である。
【図３】図２中のＢ−Ｂ断面図である。
【図４】壁貫通設置型燃焼機の概略構成図である。
【符号の説明】
【００１５】
１  壁貫通設置型燃焼機                    ２  火炎
３  燃焼部                                ４  熱交換器
４ａ  上部フランジ                          ５  排気室
６  排気室ケース                        ６ａ  下部フランジ
７  排気トップ                            ８  排気口
９  排気ガス                            １０  屋外
１１  雨よけ部材                          １２  雨水
１３  外装                                １４  ファン
２１  雨よけ板
【図１】
2005265285.tif 000003
【図２】
2005265285.tif 000004
【図３】
2005265285.tif 000005
【図４】
2005265285.tif 000006